(57)【要約】【課題】  所謂指詰めを完全に防止でき、しかも構造が簡単なハンドル装置を提供する。【解決手段】  待機状態におけるプッシュハンドル２の上下端部との隙間が小さくなるように、リンク装置のカバー８の両側の形状を設定するとすると共に、プッシュハンドル２の上下端部の扉に対向する側に、夫々リンク装置のカバー８の上下端部方向に突出する突片１５を形成し、以て、待機状態におけるプッシュハンドル２とリンク装置のカバー８の上下端部との間の隙間を閉塞すると共に、上記突片１５の形成位置を、プッシュハンドルの作動位置においてリンク装置の上下端部と干渉しないように設定する。【選択図】  図３
2006022541.tif 000002
【特許請求の範囲】
【請求項１】
縦長のハンドルの上下端部をリンク装置を介して扉の自由端縁部に装着し、ハンドルが、全体として扉面に平行な関係位置を保って、扉面に近接したり扉面から離間したりできるように支持案内されたものにおいて、待機状態におけるプッシュハンドルの上下端部との隙間が小さくなるように、リンク装置のカバーの両側の形状を設定するとすると共に、プッシュハンドルの上下端部の扉に対向する側に、夫々リンク装置のカバーの上下端部方向に突出する突片を形成し、以て、待機状態におけるプッシュハンドルとリンク装置のカバーの上下端部との間の隙間を閉塞すると共に、上記突片の形成位置を、プッシュハンドルの作動位置においてリンク装置の上下端部と干渉しないように設定したことを特徴とする扉のハンドル装置。
【発明の詳細な説明】
【技術分野】
【０００１】
この発明は、扉のハンドル装置（以下単にハンドル装置という）に係り、特に、ハンドルと扉に装着されたリンク装置のカバーとの間に指等を挟み込んでしまう所謂指詰めを完全に防止でき、しかも構造が簡単なハンドル装置に関する。
【背景技術】
【０００２】
ハンドル装置は、例えば後記特許文献１に記載されているように、また、図１に示すように、扉１の室内側（図１で右側）及び室外側の自由側端縁部に装着されている。
【０００３】
そして、夫々縦方向に長い内側ハンドル２及び外側ハンドル３の上下端を、夫々リンク装置４を介して、扉の自由側端縁部に揺動可能に支持案内されている。
【０００４】
なお、ここでリンク装置とは、ピンで回動自在に支承された棒或いはレバーを有する機構を言うものとする。
【０００５】
そして、ハンドル２、３を握って扉面に近接したり扉面から離間したりするように動かすと、全体として扉面に平行な関係位置を保って、ハンドル２、３は少し上下しつつリンク装置４を構成する解錠レバー５を回動させ、錠箱６内の図示しないラッチ部材を制御する。
【０００６】
通常、内側ハンドル２はこれを押すと扉が開くプッシュハンドルで、外側ハンドル３は引いて扉を開けるプルハンドルとなっている。
【０００７】
ちなみに、リンク装置４には通常復元ばねが弾装されており、ハンドル２、３から手を離すと復元ばねの弾力により図１に示す待機状態に戻る。
【特許文献１】特開平９−３０３００２号公報
【発明の開示】
【発明が解決しようとする課題】
【０００８】
上記した構成のハンドル装置は、握る部分が長くて使い勝手が良いが、ハンドルの上下端と、リング装置４のカバーとの間に指が入ると指が挟み込まれてしまう所謂指詰めが生じる。これは、衣服の一部や持ち物が挟み込まれても同様な現象が生じる。
【０００９】
この指詰めを防止するため、従来のハンドル装置は、例えばハンドルとリンク装置のカバーとの連結部を摺動可能に嵌合する短筒体として構成し（図１参照）、間に隙間が生じないようにしていた。
【００１０】
そのため、少なくともプッシュハンドルの両端に凹陥部を形成しなければならず、ハンドル装置の構造が複雑になるばかりでなく、ハンドル装置或いはハンドルのデザインにも制約が生じる、等未だ改良の余地がある。
【００１１】
そこで、この発明は、所謂指詰めを完全に防止でき、しかも構造が簡単なハンドル装置を提供することを目的としている。
【課題を解決するための手段】
【００１２】
上記の目的を達成するため、請求項１に記載の発明は、縦長のハンドルの上下端部をリンク装置を介して扉の自由端縁部に装着し、ハンドルが、全体として扉面に平行な関係位置を保って、扉面に近接したり扉面から離間したりできるように支持案内されたものにおいて、待機状態におけるプッシュハンドルの上下端部との隙間が小さくなるように、リンク装置のカバーの両側の形状を設定するとすると共に、プッシュハンドルの上下端部の扉に対向する側に、夫々リンク装置のカバーの上下端部方向に突出する突片を形成し、以て、待機状態におけるプッシュハンドルとリンク装置のカバーの上下端部との間の隙間を閉塞すると共に、上記突片の形成位置を、プッシュハンドルの作動位置においてリンク装置の上下端部と干渉しないように設定したことを特徴とする。
【発明の効果】
【００１３】
上記のように構成された請求項１に記載の発明によるハンドル装置は、プッシュハンドルの待機位置において、リンク装置のカバーの両側とプッシュハンドルとの間には、カバーの両側の形状の設定により隙間は生じないし、また、プッシュハンドルとリンク装置のカバーの上下端部との間の隙間は突片により閉塞されるので、所謂指詰めが生じる余地は無い。
【００１４】
これは、プッシュハンドルの作動位置、すなわち、ハンドルを扉に近接する方向に移動させた状態においても同様である。
【００１５】
一方、プルハンドルにおいては、作動状態で、すなわち、ハンドルをリンク装置のカバーと離間させた状態でこれらの間に隙間が生じ、待機状態では隙間が生じないので、そもそも指詰めは原理上生じない。
【００１６】
また、指詰めの防止機構は、主に、プッシュハンドルに付加する態様で構成されているから、プッシュハンドル及びこれと対になるプルハンドルの形状、構造に制約は無く、したがって、従来のハンドル装置とは異なりデザイン上の制約が無くなる、等種々の効果を奏する。
【発明を実施するための最良の形態】
【００１７】
待機状態におけるプッシュハンドルとリンク装置のカバーとの間に隙間か生じないようにリンク装置のカバーの形状を設定し、プッシュハンドルとリンク装置のカバーの上下端部との間の間隙は、プッシュハンドルに形成した突片で閉塞するようにしたので、簡単な構成でハンドル装置の指詰めを完全に防止することができた。
【実施例１】
【００１８】
以下、この発明の実施例を図２及び図３を参照して説明する。
図２及び図３において符号２は内側ハンドルを、符号３は外側ハンドルを夫々示し、図示の実施例では、これらのハンドル２、３は丸棒である（図２参照）。      
【００１９】
ちなみに、従来のハンドル装置においては、ハンドル２、３の両端部にカップ状の部材、或いは短筒体を一体に形成しなければならないから（図１参照）、図２及び図３に示すようなすっきりしたデザインのハンドルを採用することはできない。
【００２０】
上記内側及び外側ハンドル２、３は、夫々上下端部を、連結ブロック７、７を介して、リンク装置４に連結されている。
【００２１】
図示の実施例におけるリンク装置４は、内端を図示しない錠箱内のラッチ機構に臨ませた解錠レバー５を有している。
【００２２】
各解錠レバー５は、図３に示すように、中央部をリンク装置のカバー（以下単にカバーという）８に回動自在に軸支されたレバー体で、その外端に突設された連結ピン９を、連結ブロック７に形成されたガイド溝１１に摺動可能に係合させることにより、ハンドル２、３を平行四辺形リンクの一部として担持、案内している。
【００２３】
図３に示す実施例においては、内側ハンドル２を左方に押すことにより、或いは、外側ハンドル３を左方に引くことにより、夫々対応する解錠レバー５の内端を下方に押動し、上記図示しないラッチ機構を作動させて、例えば錠箱内の錠止機構を解錠する。
【００２４】
また、各リンク装置４には捩りばねとしての復元ばね１２が弾装されており、この復元ばね１２の弾力により、ハンドル２、３に外力が作用しない待機状態においては、ハンドル２、３が図３に示す待機位置、すなわち、内側ハンドル２は扉１から最も離間した位置に、外側ハンドル３は扉１に最も近接した位置に係止する。
【００２５】
なお、上記ハンドル２、３の待機位置は、上記連結ピン９及びガイド溝１１の係合の態様によって一義的に定まる。
【００２６】
一方、前記カバー８は、図３に示すようにして扉１の自由端縁部に装着されており、その装着の態様は図３から明らかであるので、ここでは簡単に説明する。      
【００２７】
すなわち、図２及び図３に示すように、内側及び外側カバー８、８は、概ね扉面に接する底面及びこれと平行な関係位置を保つ天井面が開口し、４側面を残した枠体である。
【００２８】
そして、外側カバー８は、取付ねじ１３、１３によって扉外面に呼び付けられるように装着され、内側カバー８は、図示しない取付ねじ或いは取付機構により扉内面の基板１４に固定されている。
【００２９】
また、内側及び外側カバー８の上下端における側面は、図２に示すように、内側カバーはＵ字形に、外側カバーは円弧状に夫々切り欠かれ、作動位置にあるハンドル２、３と干渉しないように設計されている。
【００３０】
更にまた、特に室内側のカバー８の左右の側面、すなわち、図３において紙面と平行な側面は、図２に示す待機状態において、その室内側の開口端縁と内側ハンドル２との間の隙間が小さくなるようにその形状及び寸法が設定されている。
【００３１】
そのため、図２から明らかなように、待機状態における内側ハンドル（プッシュハンドル）２の上下端部とカバー８との隙間が小さくなり、この部分における所謂指詰めは皆無となる。
【００３２】
一方、内側ハンドル２のカバー８と対向する部分には、横断面形状が円弧状の浅い樋状の板材で、上下端に円弧の一部をなす形状の突片１５を一体に形成した部材が装着されている。
【００３３】
この突片１５、１５の形成位置は、突片１５、１５が図２に鎖線で示す作動位置にまで移動したときでもカバー８と干渉しないように設定されている。
【００３４】
そのため、作動位置においては勿論、内側ハンドル２が待機位置にあるときでも、ハンドル２とカバー８との隙間が突片１５により閉塞され、指詰めが生じる余地が無くなる。
【図面の簡単な説明】
【００３５】
【図１】従来のハンドル装置の要部断面図。
【図２】この発明の一実施例によるハンドル装置の要部平面図。
【図３】この発明の一実施例によるハンドル装置の要部の一部断面側面図。
【符号の説明】
【００３６】
１  扉
２  内側ハンドル
３  外側ハンドル
４  リンク装置
５  解錠レバー
６  錠箱
７  連結ブロック
８  カバー
９  連結ピン
１１  ガイド溝
１２  復元ばね
１３  取付ねじ
１４  基板
１５  突片
【図１】
2006022541.tif 000003
【図２】
2006022541.tif 000004
【図３】
2006022541.tif 000005